(57)【要約】【課題】封緘時に開閉面が反発によって開放しにくい、ワンタッチ開閉機構を備えた段ボール箱を提供する。【解決手段】各側部内フラップ部５ｓと主内フラップ部５ｍとの境界５２及び各側部内フラップ部５ｓと外フラップ部４との境界をそれぞれ折目５２，１０として、主内フラップ部５ｍ、側部内フラップ部５ｓ、外フラップ部４を断面Ｚ字状に折り畳むワンタッチ式開閉面を有するダンボール箱において、各内フラップ部における、主内フラップ部５ｍと一方の側部内フラップ部５ｓとの境界５２上、主内フラップ部５ｍと他方の側部内フラップ部５ｓとの境界５２上、及び前記先端縁上にそれぞれ頂点を有する矩形状の部分５１を切り欠く。【選択図】図３
0003139567.tif 000002
【実用新案登録請求の範囲】
【請求項１】
左右一対の端壁と、前後一対の側壁とからなる四角筒状の非開閉面と、
前記非開閉面の上部開口及び下部開口をそれぞれ開閉する上開閉面及び下開閉面と、を有し、
これら開閉面のうち少なくとも上開閉面がワンタッチ式開閉面とされており、
このワンタッチ式開閉面は、開放状態で四角筒状をなすように、前記非開閉面を上方に延長してなる筒状開閉部分により構成されており、
この筒状開閉部分は、各前記側壁の上縁を基端縁とし前記ワンタッチ式開閉面の前後方向長さの半分以下の長さ延出された一対の矩形状の外フラップ部と、各前記端壁の上縁を基端縁として前記外フラップ部の延出長さと同じ長さ延出された一対の区形状の内フラップ部とからなり、
各前記内フラップ部は、基端縁の前後方向両端から基端縁と４５°の角度をなして先端縁までそれぞれ延在する一対の直線を境界として、前後方向中間の主内フラップ部と、その前後方向両側の側部内フラップ部とを有しており、
各前記側部内フラップ部とこれに隣接する主内フラップ部との境界及び各前記側部内フラップ部とこれに隣接する外フラップ部との境界をそれぞれ折目として、各前記側部内フラップ部を隣接する主内フラップ部の外側且つ隣接する外フラップ部の内側に折り込みつつ、各前記主内フラップ部をその基端縁を折目として左右方向中央側に折り倒すとともに各前記外フラップ部をその基端縁を折目として前後方向中央側にそれぞれ折り倒すことによって、前記ワンタッチ式開閉面が封緘されるように構成されており、
前記上開閉面及び前記下開閉面が封緘されることで直方体状を成す段ボール箱において、
各前記内フラップ部における、前記主内フラップ部と側部内フラップ部との境界及び前記側部内フラップ部と外フラップ部との境界の少なくとも一方の一部を含む部分が切り欠かれている、ことを特徴とする段ボール箱。
【請求項２】
各前記内フラップ部は、前記主内フラップ部と一方の側部内フラップ部との境界上、前記主内フラップ部と他方の側部内フラップ部との境界上、及び前記先端縁上にそれぞれ頂点を有する多角形状の部分が切り欠かれている、請求項１記載の段ボール箱。
【請求項３】
前記主内フラップ部と側部内フラップ部との境界、及び前記側部内フラップ部と外フラップ部との境界のうち、少なくとも一方に沿ってミシン目が形成されている、請求項１又は２記載の段ボール箱。
【請求項４】
各前記内フラップ部の基端縁における前後方向両端部及びその間の中間部のうち、両端部が端壁から切り離されるとともに、中間部が両端部より上下方向中央側にずれている、請求項１〜３のいずれか１項に記載の段ボール箱。
【請求項５】
前記段ボール箱を構成する段ボールは、波状に成型した中しんの両側にライナをそれぞれ貼り合わせてなる、Ａ段、Ｂ段又はＣ段の両面段ボールであり、
前記ライナは、ＪＩＳ Ｐ ３９０２−１９９５に規定される段ボール用ライナ、又はＪＩＳ Ｐ ３９０４−１９９４に規定される段ボール用中しん原紙からなり、
前記中しんは、ＪＩＳ Ｐ ３９０４−１９９４に規定される段ボール用中しん原紙からなる、請求項１〜４のいずれか１項に記載の段ボール箱。
【考案の詳細な説明】
【技術分野】
【０００１】
本考案は、開閉面の封緘を一作業で容易に行うことができる、いわゆるワンタッチ式の段ボール箱に関するものである。
【背景技術】
【０００２】
一般的な段ボール箱は、左右一対の端壁と、前後一対の側壁とからなる四角筒状の非開閉面と、各前記端壁の上縁を基端として延出された内フラップ、及び各前記側壁の上縁を基端として延出された外フラップからなり、内フラップの外側に外フラップが重ねられた状態で封緘されるように構成された上開閉面及び下開閉面を有するものである。
【０００３】
このような段ボール箱は、開閉面の封緘に際して、内フラップを箱内側に折り込む作業と、その外側に外フラップを重ね合わせる作業と、二つの作業が必要となり、迅速な梱包を行うのには不向きであった。
そこで、この問題を解決すべく、非特許文献１に示されるコード番号０２２６のように、ワンタッチ式の上開閉面を有する段ボール箱が提案されている。このワンタッチ式開閉面は、非開閉面の上縁から延出し、開放状態で四角筒状をなす筒状開閉部分により形成されており、この筒状開閉部分は、各側壁の上縁を基端縁としワンタッチ式開閉面の前後方向長さの半分以下の長さ延出された一対の矩形状の外フラップ部と、各端壁の上縁を基端縁として外フラップ部の延出長さと同じ長さ延出された一対の区形状の内フラップ部とを有している。また、各内フラップ部は、基端縁の前後方向両端から基端縁と４５°の角度をなして先端縁までそれぞれ延在する一対の直線を境界として、前後方向中間の主内フラップ部と、その前後方向両側の側部内フラップ部とを有している。
このワンタッチ式の開閉面は、各側部内フラップ部とこれに隣接する主内フラップ部との境界及び各側部内フラップ部とこれに隣接する外フラップ部との境界をそれぞれ折目として、各側部内フラップ部を隣接する主内フラップ部の外側且つ隣接する外フラップ部の内側に折り込みつつ、各主内フラップ部をその基端縁を折目として左右方向中央側に折り倒すとともに各外フラップ部をその基端縁を折目として前後方向中央側にそれぞれ折り倒すことによって封緘することができる。つまり、内フラップ部及び外フラップ部を連動して折り倒すことができるため、一つの作業で開閉面を封緘することが可能である。
【非特許文献１】「新版段ボール製造・包装技術  実務編」株式会社日報アイ・ビー、五十嵐清一（著）、平成１４年１月３１日、第１６４頁
【考案の開示】
【考案が解決しようとする課題】
【０００４】
しかしながら、この従来の段ボール箱は、ワンタッチ式の開閉面を封緘する際、外フラップ部、主内フラップ部及び側部内フラップ部がＺ字状に折り畳まれるため、折り畳みに対する反発が強い、折り畳み部分の収まりが悪いといった問題点があり、封緘作業が困難なものであった。ワンタッチ式の段ボール箱は、ユーザーが手作業で迅速・容易に組み立てることを想定したものであるため、封緘作業が困難になるのは重大な問題点である。これが原因であるか否かは定かでないが、本考案者は上記コード番号０２２６の段ボール箱が採用されている例を見たことがない。
そこで、本考案の主たる課題は、開閉面の封緘に際して、一つの作業で封緘でき、且つ、開閉面が段ボールの反発力によって開いてしまわないようにすることにある。
【課題を解決するための手段】
【０００５】
上記課題を解決した本考案は次記のとおりである。
なお、本考案における、前・後・上・下・左・右とは、封緘状態において一方の外フラップが延出される一方の側壁を前（正面）とした方向を意味し、考案の説明の便宜上定めたものであって、製品として使用される際の方向を意味するものではない。
【０００６】
＜請求項１記載の考案＞
左右一対の端壁と、前後一対の側壁とからなる四角筒状の非開閉面と、
前記非開閉面の上部開口及び下部開口をそれぞれ開閉する上開閉面及び下開閉面と、を有し、
これら開閉面のうち少なくとも上開閉面がワンタッチ式開閉面とされており、
このワンタッチ式開閉面は、開放状態で四角筒状をなすように、前記非開閉面を上方に延長してなる筒状開閉部分により構成されており、
この筒状開閉部分は、各前記側壁の上縁を基端縁とし前記ワンタッチ式開閉面の前後方向長さの半分以下の長さ延出された一対の矩形状の外フラップ部と、各前記端壁の上縁を基端縁として前記外フラップ部の延出長さと同じ長さ延出された一対の区形状の内フラップ部とからなり、
各前記内フラップ部は、基端縁の前後方向両端から基端縁と４５°の角度をなして先端縁までそれぞれ延在する一対の直線を境界として、前後方向中間の主内フラップ部と、その前後方向両側の側部内フラップ部とを有しており、
各前記側部内フラップ部とこれに隣接する主内フラップ部との境界及び各前記側部内フラップ部とこれに隣接する外フラップ部との境界をそれぞれ折目として、各前記側部内フラップ部を隣接する主内フラップ部の外側且つ隣接する外フラップ部の内側に折り込みつつ、各前記主内フラップ部をその基端縁を折目として左右方向中央側に折り倒すとともに各前記外フラップ部をその基端縁を折目として前後方向中央側にそれぞれ折り倒すことによって、前記ワンタッチ式開閉面が封緘されるように構成されており、
前記上開閉面及び前記下開閉面が封緘されることで直方体状を成す段ボール箱において、
各前記内フラップ部における、前記主内フラップ部と側部内フラップ部との境界及び前記側部内フラップ部と外フラップ部との境界の少なくとも一方の一部を含む部分が切り欠かれている、ことを特徴とする段ボール箱。
【０００７】
（作用効果）
上記コード番号０２２６の段ボール箱の場合、折目の数が所謂Ａ式段ボール箱と比べて２倍となり、折り重なる段ボールシートの枚数も側部内フラップ部の分だけ増える。そのため、反発力がその分強くなり、収まりも悪くなるのである。特に、主内フラップ部と側部内フラップ部との境界に位置する折目、及び側部内フラップ部と外フラップ部との境界に位置する折目が、反発力増加の主要因の一つである。本考案は、これらのうち少なくとも一方の境界の一部を含むように内フラップ部の一部分を切り欠くことにより、上記コード番号０２２６の段ボール箱と同じワンタッチ式の開閉原理を損ねずに、当該境界に位置する折目の長さを短縮して反発力を弱めるものである。なお、本考案において、切り欠く部位を内フラップ部としたのは、内フラップ部に切欠が存在してもその一部又は全部を外フラップ部により覆うことができるためである。
【０００８】
＜請求項２記載の考案＞
各前記内フラップ部は、前記主内フラップ部と一方の側部内フラップ部との境界上、前記主内フラップ部と他方の側部内フラップ部との境界上、及び前記先端縁上にそれぞれ頂点を有する多角形状の部分が切り欠かれている、請求項１記載の段ボール箱。
【０００９】
（作用効果）
本項記載のように構成されていることによって、主内フラップ部と側部内フラップ部との境界を折目として折り曲げる際、折目の切欠き側の端点に力が集中するため、折り曲げの開始が円滑になる。
【００１０】
＜請求項３記載の考案＞
前記主内フラップ部と側部内フラップ部との境界、及び前記側部内フラップ部と外フラップ部との境界のうち、少なくとも一方に沿ってミシン目が形成されている、請求項１又は２記載の段ボール箱。
【００１１】
（作用効果）
前述したとおり、主内フラップ部と側部内フラップ部との境界に位置する折目、及び側部内フラップ部と外フラップ部との境界に位置する折目が、反発力増加の主要因の一つである。本項記載の考案では、これら折目となる境界に沿ってミシン目を形成することにより、折目の両側の連続性を維持したまま、反発力を生み出す部分の長さを短縮して反発力を低減することができる。
特に、側部内フラップ部と外フラップ部との境界にミシン目が形成されていると、カット部において段ボール断面が露出するとともに、その断面が箱外面に露出して滑り止めの効果を発揮する。よって、段ボール箱を積み上げて運搬等する際、積み上げた段ボール箱群が崩れ難くなる。
【００１２】
＜請求項４記載の考案＞
各前記内フラップ部の基端縁における前後方向両端部及びその間の中間部のうち、両端部が端壁から切り離されるとともに、中間部が両端部より上下方向中央側にずれている、請求項１〜３のいずれか１項に記載の段ボール箱。
【００１３】
（作用効果）
上記コード番号０２２６の段ボール箱の場合、所謂Ａ式段ボール箱と比べると、外フラップ部と内フラップ部とが重なる部分において折り重なる段ボールシートの枚数が側部内フラップ部の分だけ増えるため、収まりが悪く（外フラップ部が膨らみ易い）、無理に収めようとするとその分だけ反発力が強くなる。
これに対して、本項記載のように構成されていると、端壁に対する主内フラップ部の折目の位置が箱の上下方向中央側にずれ、その分だけ、主内フラップ部と外フラップ部との間に側部内フラップを挟むスペースが確保されるため、外フラップ部と内フラップ部とが重なる部分における収まりが良くなるとともに、反発力も低減する。
また、各内フラップ部の基端縁における前後方向両端部が端壁から切り離されているため、前述したミシン目の場合と同様の原理で、内フラップ部（主内フラップ部）の折目の反発が低減するといった副次的効果や、切り離し部分の断面が箱外面に露出して滑り止めになるといった副次的効果も発揮される。
【００１４】
＜請求項５記載の考案＞
前記段ボール箱を構成する段ボールは、波状に成型した中しんの両側にライナをそれぞれ貼り合わせてなる、Ａ段、Ｂ段又はＣ段の両面段ボールであり、
前記ライナは、ＪＩＳ Ｐ ３９０２−１９９５に規定される段ボール用ライナ、又はＪＩＳ Ｐ ３９０４−１９９４に規定される段ボール用中しん原紙からなり、
前記中しんは、ＪＩＳ Ｐ ３９０４−１９９４に規定される段ボール用中しん原紙からなる、請求項１〜４のいずれか１項に記載の段ボール箱。
【００１５】
（作用効果）
本項記載のような段ボールを使用する場合、特に反発力が強くなるとともに、折り畳み部分の収まりも悪くなる。よって、上述した各考案は、本項記載の範囲の段ボールを使用する際に適用すると特に好ましい。
【考案の効果】
【００１６】
以上の通り本考案によれば、従来と同様にワンタッチで開閉面を封緘でき、更に、開閉面が段ボールの反発によって開いてしまうことのない段ボール箱を提供することができる。
【考案を実施するための最良の形態】
【００１７】
以下、本考案の実施形態について、添付図面を参照しつつ詳説する。
図１〜６は、本考案に係る段ボール箱１の実施形態を示している。この段ボール箱１は、封緘状態で直方体状をなす溝切り形の段ボール箱に属するものであり、均一な厚さの一枚の紙製段ボールを用いて形成できるものである。図１中の点線及び一点鎖線は山折目及び谷折目をそれぞれ示しており、これらの折目には折り曲げを容易にする罫線加工を施すのが好ましい。
【００１８】
構造について更に詳細に説明すると、段ボール箱１は、左右一対の端壁３と、前後一対の側壁２とからなる四角筒状の非開閉面と、この非開閉面の上部開口及び下部開口をそれぞれ開閉する上開閉面Ｕ及び下開閉面Ｂとを有している。
符号８は、側壁２の側部と端壁３の側部とを連結するための糊代片を示している。この糊代片８により一方の側壁２とこれに隣接する端壁３とを連結することにより、四角筒状の非開閉面が形成される。
下開閉面Ｂは、一般的なＡ式ダンボール箱と同様に構成されており、各端壁３の下縁から延出された左右一対の内フラップ７、および各側壁２の下縁から延出された前後一対の外フラップ６からなり、両内フラップ７の外側に両外フラップ６が重ねられた状態で封緘されるように構成された下開閉面Ｂとを有している。
下開閉面Ｂの一対の外フラップ６は、開閉面を前後方向中央線において二分割した寸法形状に等しい矩形をなしており、側壁２からの延出長さ（前後方向長さ）Ｌ２は下開閉面Ｂの前後方向長さＬ１（又は端壁の前後方向長さ）の半分に等しく、封緘状態で互いの先端縁の全体が突き合わさるように構成されている。
下開閉面Ｂの一対の内フラップ７は矩形状をなしており、下開閉面Ｂの前後方向長さＬ１（又は端壁の前後方向長さ）に等しい前後方向長さをもって、外フラップ６と同じ延出長さ（左右方向の長さ）Ｌ２だけ端壁３から延出している。図示形態の場合、下開閉面Ｂにおける一対の内フラップ７は、互いの先端縁の全体が封緘状態において左右方向に離間する。
【００１９】
一方、上開閉面Ｕは本考案に係るワンタッチ式開閉面とされている。すなわち、上開閉面Ｕは、非開閉面を上方に延長してなる筒状開閉部分により形成されており、開放状態で四角筒状をなすものである。筒状開閉部分は、各側壁２の上縁を基端縁とし延出された一対の矩形状の外フラップ部４と、各端壁３の上縁を基端縁として延出された一対の区形状の内フラップ部５とからなる。
外フラップ部４の側壁２からの延出長さ（前後方向長さ）Ｌ２は上開閉面Ｕの前後方向長さＬ１の半分の長さ（半分未満であっても良い）に等しく、封緘状態で互いの先端縁の全体が突き合わさるように構成されている。また、内フラップ部５の端壁３からの延出長さは、外フラップ部４の延出長さＬ２と同じとされており、内フラップ部５の前後端は外フラップ部４の左右端と連続している。符号９は、外フラップ部４の側部と内フラップ部５の側部とを連結するための糊代片を示している。図示形態の場合、上開閉面Ｕにおける一対の内フラップ７は、互いの先端縁の全体が封緘状態において左右方向に離間する。
特徴的には、各内フラップ部５は、基端縁の前後方向両端から基端縁と４５°の角度をなして先端縁までそれぞれ延在する一対の直線状折目５２，５２を境界として、前後方向中間の主内フラップ部５ｍと、その前後方向両側の側部内フラップ部５ｓとを有しており、主内フラップ部５ｍと側部内フラップ部５ｓとの境界５２の一部を含む部分が切り欠かれている。
【００２０】
切欠き５１の形状は適宜定めることができるが、各内フラップ部５において、主内フラップ部５ｍと一方の側部内フラップ部５ｓとの境界５２上、主内フラップ部５ｍと他方の側部内フラップ部５ｓとの境界５２上、及び先端縁上にそれぞれ頂点を有する多角形状の部分５１が切り欠かれているのは好ましい。具体的には、図示形態のような先端縁上に二頂点を有し且つ境界５２上にそれぞれ頂点を有する矩形状の他、先端縁上に一頂点を有し且つ境界５２上にそれぞれ頂点を有する三角形状や、先端縁上に二頂点を有し且つ境界５２上にそれぞれ頂点を有する台形状とすることができる。切欠き５１がこのような形状を有していると、主内フラップ部５ｍと側部内フラップ部５ｓとの境界５２を折目として折り曲げる際、折目の切欠き５１側の端点に力が集中するため、折り曲げが容易になる。
切欠き５１の寸法は、内フラップ部５の強度を損ねない範囲で適宜定めるのが好ましい。具体的に図示形態のように矩形状の切欠き５１の場合、切欠き５１の前後方向長さＬ３及びこれと直交する方向の長さＬ４は、それぞれ内フラップ部５の前後方向長さＬ１及びこれと直交する方向の長さＬ２に対して１／２以下とするのが好ましい。
【００２１】
かくして構成されたダンボール箱１では、図２〜４に順に示すように、上開閉面Ｕにおいて、各側部内フラップ部５ｓとこれに隣接する主内フラップ部５ｍとの境界５２及び各側部内フラップ部５ｓとこれに隣接する外フラップ部４との境界１０をそれぞれ折目として、各側部内フラップ部５ｓを隣接する主内フラップ部５ｍの外側且つ隣接する外フラップ部４の内側に折り込みつつ、各主内フラップ部５ｍをその基端縁を折目として左右方向中央側に折り倒すとともに各外フラップ部４をその基端縁を折目として前後方向中央側にそれぞれ折り倒した後、ステープル、テープ、糊等の封緘手段を用いて封緘することができる。
この際、切欠き５１が形成されていることによって、主内フラップ部５ｍと側部内フラップ部５ｓとの境界に位置する折目５２の長さが、切欠き５１が無い場合と比べて短くなるため、当該折目５２における反発力が低減する。また、主内フラップ部５ｍと側部内フラップ部５ｍとの境界５２を折目として折り曲げる際、折目５２の切欠き側の端点に力が集中し、円滑に折り曲げが開始する。よって、手作業での封緘作業が格段に容易になる。さらに、本実施形態のような簡素な構造であれば、若干の加工の追加は必要であるが、一般的なコルゲーター及びフレキソフォルダーグルアーの組み合わせにより連続製造が可能である。
【００２２】
一方、下開閉面Ｂについては周知のように、一対の内フラップ７を左右方向中央側に折り倒すとともに、その外側に一対の外フラップ４を折り重ねた後、ステープル、テープ、糊等の封緘手段を用いて封緘することができる。
他方、前述したように、図中の点線及び一点鎖線は山折目及び谷折目をそれぞれ示しており、これらの折目には折り曲げを容易にする罫線加工を施すのが好ましいが、これらの折目のうち特に主内フラップ部５ｍと側部内フラップ部５ｓとの境界５２、及び側部内フラップ部５ｓと外フラップ部４との境界１０のうち、少なくとも一方に沿ってミシン目加工を施すのは好ましい。図中の符号ｃはミシン目のカット部を示し、ｔはタイ部（連結部又は非切断部）を示している。このようなミシン目を設けると、折目５２，１０の両側の連続性を維持したまま、反発力を生み出す部分の長さを短縮して反発力を低減することができるとともに、カット部ｃにおいて露出する段ボール断面が箱外面に露出して滑り止めの効果を発揮する。ミシン目におけるカットタイ比（カット部ｃの長さ／タイ部ｔの長さ）は１〜０．５程度とするのが好ましい。カット部ｃの長さは適宜定めることができ、反発力をより効果的に低減するために、内フラップ部５の基端に最も近いカット部ｃを部分的に長く、例えば内フラップ部５の延出長さＬ２の１／２０〜１／４程度の長さで形成するのも好ましい形態の一つである。これらのミシン目加工は、罫線加工に代えて又は罫線加工とともに施すことができる。
【００２３】
また、図６に詳細に示すように、各内フラップ部５の基端縁における前後方向両端部５４及びその間の中間部５３のうち、両端部５４が切り込みにより端壁から切り離されるとともに、主内フラップ部の折目となる中間部５３が両端部５４より下側にずらされていると好ましい。この場合、図５に示すように、端壁３に対する主内フラップ部５ｍの折目の位置５３が下側にずれ、その分だけ、主内フラップ部５ｍと外フラップ部４との間に側部内フラップ５ｓを挟むスペースが確保されるため、外フラップ部４と内フラップ部５とが重なる部分における収まりが良くなるとともに、反発力も低減する。また、前述したミシン目の場合と同様の原理で、主内フラップ部５ｍの折目５３の反発が低減するといった副次的効果や、切り離し部分５４の断面が箱外面に露出して滑り止めになるといった副次的効果も発揮される。
なお、図示形態では、内フラップ部５の基端縁の両端部５４と、その間の中間部５３の両端とが階段状に不連続となるため、中間部５３を折目として主内フラップ５ｍを折り曲げると、この不連続部分５５が破断することになるが、この破断は僅かであり、強度等への影響は全く生じない。もちろん、この不連続部分５５を予め両端部５４とともに切り離しておいても良い。
【００２４】
この形態における中間部５３のズレの程度、すなわち中間部５３と両端部５４との上下方向離間距離Ｌ７は適宜定めることができるが、段ボール箱１を形成する段ボールの厚みの１〜３倍程度とするのが好ましい。このズレが少な過ぎると効果が不十分となり、多過ぎると封緘状態で主内フラップ部５ｍと側部内フラップ部５ｓとの間に箱内外に通じる隙間が発生するおそれがある。また、両端部５４の前後方向の長さ（片側のみ）は、内フラップ部５の前後方向長さＬ１の１／２０〜１／３程度、特に１／２０〜１／５程度とするのが好ましい。この長さが短過ぎると効果が不十分となり、長過ぎると内フラップ部５の連結強度を損ねるおそれがある。
【００２５】
＜その他＞
（ａ）本実施形態に係る段ボール箱１に用いられる段ボール（段ボールシート）としては、波形状に成形した中しん原紙を１枚のライナに貼り合わせた片面段ボール、片面段ボールの段頂にライナを貼り合わせた両面段ボール、両面段ボールの片側に、片面段ボールの段頂を貼り合わせた複両面段ボール、又は複両面段ボールの片側に片面段ボールの段頂を貼り合わせた複々両面段ボールを特に限定無く用いることができるが、反発力が強くなり易いだけでなく本発明の反発低減効果が顕著に発揮される点で、段の種類がＡ段、Ｂ段、またはＣ段であり、ライナが、ＪＩＳ Ｐ ３９０２−１９９５に規定されるＡＡ級、Ａ級、Ｂ級、又はＣ級の段ボール用ライナからなり、中しんが、ＪＩＳ Ｐ ３９０４−１９９４に規定されるＡ級、Ｂ級、又はＣ級の段ボール用中しん原紙からなる、両面段ボールが好適である。また、コストを下げるために、いずれか一方又は両方のライナとして、ＪＩＳ Ｐ ３９０４−１９９４に規定されるＡ級、Ｂ級、又はＣ級の段ボール用中しん原紙を貼り合わせたものも好適である。特に好ましいのは、段の種類がＡ段又はＢ段であり、ライナが、ＪＩＳ Ｐ ３９０２−１９９５に規定されるＡＡ級の全て、Ａ級のうち坪量が１８０ｇ／ｍ2以上、又はＢ級のうち坪量が２００ｇ／ｍ2以上の段ボール用ライナからなり、中しんが、ＪＩＳ Ｐ ３９０４−１９９４に規定されるＡ級の全て、Ｂ級の全て、又はＣ級のうち坪量が１６０ｇ／ｍ2以上の段ボール用中しん原紙からなる両面段ボールである。片面段ボールや、複両面段ボール、複両面段ボールを用いる場合でも、これら両面段ボールと同程度の破裂強さ（ＪＩＳ  Ｚ  １５１６−１９９７の７．に規定する方法による）を有するのが好ましい。
（ｂ）上記例では上開閉面Ｕのみが本考案に係るワンタッチ式開閉面とされているが、これに代えて又はこれとともに下開閉面Ｂを本考案に係るワンタッチ式開閉面とすることができる。
（ｃ）上記例では、切欠き５１が主内フラップ部５ｍと側部内フラップ部５ｓとの境界５２の一部のみを含むように形成されているが、これに代えて又はこれとともに、側部内フラップ部５ｓと外フラップ部４との境界１０を含むように形成することもできる。
【産業上の利用可能性】
【００２６】
本考案は、段ボール箱に適用できるものである。
【図面の簡単な説明】
【００２７】
【図１】本考案に係る段ボール箱の展開図である。
【図２】上開閉面の封緘作業途中を示す斜視図である。
【図３】上開閉面の封緘作業途中を示す斜視図である。
【図４】段ボール箱の封緘状態を示す斜視図である。
【図５】図５のＡ−Ａ線に沿う縦断面の要部を示す断面図である。
【図６】図２の端壁側の側面を示す側面図である。
【符号の説明】
【００２８】
１…段ボール箱、２…側壁、３…端壁、４…外フラップ部、５…内フラップ部、６…外フラップ、７…内フラップ、８…糊代片、９…糊代片、１０…折目、５１…切欠き、５２…折目（境界）、５３…折目、５４…両端部。
【図１】
0003139567.tif 000003
【図２】
0003139567.tif 000004
【図３】
0003139567.tif 000005
【図４】
0003139567.tif 000006
【図５】
0003139567.tif 000007
【図６】
0003139567.tif 000008